(57)【要約】【課題】温度変化に伴う液体噴射ヘッドのインクの吐出特性のばらつきを抑制し、高精度且つ高画質印刷を行える液体噴射ヘッドユニット及び液体噴射装置を提供する。【解決手段】液体を噴射するノズル開口が並設された複数の液体噴射ヘッド１０ａ〜１０ｆと、前記液体噴射ヘッドの周囲の雰囲気温度を測定する複数の温度検出手段９ａ〜９ｆと、前記液体噴射ヘッドによる液体の噴射を制御する制御手段と、を具備し、前記制御手段は、前記液体噴射ヘッドのそれぞれに隣接して設けられた複数の温度検出手段からの温度情報に基づいて、当該液体噴射ヘッドのそれぞれの周囲の雰囲気温度を算出し、これに基づいて、前記液体噴射ヘッド毎の駆動信号を補正する。【選択図】図５
2013230654.tif 000002
【特許請求の範囲】
【請求項１】
液体を噴射するノズル開口が並設された複数の液体噴射ヘッドと、
前記液体噴射ヘッドの周囲の雰囲気温度を測定する複数の温度検出手段と、
前記液体噴射ヘッドによる液体の噴射を制御する制御手段と、を具備し、
前記制御手段は、前記液体噴射ヘッドのそれぞれに隣接して設けられた複数の温度検出手段からの温度情報に基づいて、当該液体噴射ヘッドのそれぞれの周囲の雰囲気温度を算出し、これに基づいて、前記液体噴射ヘッド毎の駆動信号を補正することを特徴とする液体噴射ヘッドユニット。
【請求項２】
請求項１に記載の液体噴射ヘッドユニットにおいて、
前記複数の液体噴射ヘッドは、前記ノズル開口の並設方向に千鳥状に２列に配置され、
前記温度検出手段は、前記液体噴射ヘッドの前記ノズル開口の並設方向と交差する方向の隣接する位置に、各前記液体噴射ヘッドに対向して１つ配置され、
前記制御手段は、前記液体噴射ヘッドのそれぞれについて、当該液体噴射ヘッドの前記ノズル開口の並設方向に交差する方向に配置された１つの温度検出手段と、前記ノズル開口の並設方向に隣接する２つの温度検出手段と、から取得した温度情報に基づいて、当該液体噴射ヘッドの周囲の雰囲気温度を算出し、これに基づいて、前記液体噴射ヘッド毎の駆動信号を補正することを特徴とする液体噴射ヘッドユニット。
【請求項３】
請求項１又は２に記載の液体噴射ヘッドユニットを具備することを特徴とする液体噴射装置。
【発明の詳細な説明】
【技術分野】
【０００１】
本発明は、ノズル開口から液体を噴射する液体噴射ヘッドを具備する液体噴射ヘッドユニット及び液体噴射装置に関する。
【背景技術】
【０００２】
インクジェット式記録装置に代表される液体噴射装置は、インク等の液体を吐出する液体噴射ヘッドが複数設けられた液体噴射ヘッドユニットを具備する。これらの液体噴射ヘッドから吐出するインクなどの液体は温度により粘度が変化し、特に粘度の高い液体を吐出する場合には温度の変化による粘度の変化が大きい。このような液体を吐出する場合、粘度特性に合わせた吐出を行うために、液体を加熱したり、液体噴射ヘッドの温度に基づいて、液体噴射ヘッドの駆動波形を変更する方法が提案されている（例えば、特許文献１、２参照）。
【先行技術文献】
【特許文献】
【０００３】
【特許文献１】特開２０１０−０２３２５７号公報
【特許文献２】特開２０１１−１８３７２７号公報
【発明の概要】
【発明が解決しようとする課題】
【０００４】
しかしながら、上述したような液体噴射ヘッドの温度に基づいて制御を行っても、近年の長尺化する液体噴射ヘッドにおいて、高速且つ高画質の画像印刷を実現することができないという問題がある。
【０００５】
本発明はこのような事情に鑑み、温度変化に伴う液体噴射ヘッドのインクの吐出特性のばらつきを抑制し、高精度且つ高画質印刷を行える液体噴射ヘッドユニット及び液体噴射装置を提供することを目的とする。
【課題を解決するための手段】
【０００６】
上記課題を解決する本発明の態様は、液体を噴射するノズル開口が並設された複数の液体噴射ヘッドと、前記液体噴射ヘッドの周囲の雰囲気温度を測定する複数の温度検出手段と、前記液体噴射ヘッドによる液体の噴射を制御する制御手段と、を具備し、前記制御手段は、前記液体噴射ヘッドのそれぞれに隣接して設けられた複数の温度検出手段からの温度情報に基づいて、当該液体噴射ヘッドのそれぞれの周囲の雰囲気温度を算出し、これに基づいて、前記液体噴射ヘッド毎の駆動信号を補正することを特徴とする液体噴射ヘッドユニットにある。
かかる本発明によれば、各液体噴射ヘッドの周囲の雰囲気温度を、複数の温度検出手段からの温度情報に基づいて算出するので、液体噴射ヘッドの周囲の雰囲気温度を正確に把握することができ、これにより、液体噴射ヘッド毎に駆動信号を精度良く補正でき、環境温度の変化に伴う液体噴射ヘッド間の液体の吐出特性のばらつきを抑制した液体噴射ヘッドユニットを実現できる。
【０００７】
ここで、前記複数の液体噴射ヘッドは、前記ノズル開口の並設方向に千鳥状に２列に配置され、前記温度検出手段は、前記液体噴射ヘッドの前記ノズル開口の並設方向と交差する方向の隣接する位置に、各前記液体噴射ヘッドに対向して１つ配置され、前記制御手段は、前記液体噴射ヘッドのそれぞれについて、当該液体噴射ヘッドの前記ノズル開口の並設方向に交差する方向に配置された１つの温度検出手段と、前記ノズル開口の並設方向に隣接する２つの温度検出手段と、から取得した温度情報に基づいて、当該液体噴射ヘッドの周囲の雰囲気温度を算出し、これに基づいて、前記液体噴射ヘッド毎の駆動信号を補正することが好ましい。
これによれば、前記液体噴射ヘッドと前記温度検出手段とが、それぞれ千鳥状に配置されるので、各液体噴射ヘッドの周囲の三方向に配置される温度検出手段により液体噴射ヘッド毎の環境温度の変化をより正確に把握できる。このため、駆動信号をより精度良く補正でき、環境温度の変化に伴う液体噴射ヘッド間の液体の吐出特性のばらつきを抑制できる。
【０００８】
また、本発明の他の態様は、前記何れかの態様に記載の液体噴射ヘッドユニットを具備することを特徴とする液体噴射装置にある。
かかる本発明によれば、各液体噴射ヘッドの周囲の雰囲気温度を、複数の温度検出手段からの温度情報に基づいて算出するので、液体噴射ヘッドの周囲の雰囲気温度を正確に把握することができ、これにより、液体噴射ヘッド毎に駆動信号を精度良く補正でき、環境温度の変化に伴う液体噴射ヘッド間の液体の吐出特性のばらつきを抑制した液体噴射装置を実現できる。
【図面の簡単な説明】
【０００９】
【図１】実施形態１に係る液体噴射装置の概略斜視図である。
【図２】実施形態１に係る液体噴射ヘッドの概略斜視図である。
【図３】実施形態１に係る液体噴射ヘッドの底面図である。
【図４】実施形態１に係るヘッドユニットの底面図である。
【図５】実施形態１に係るヘッドユニットと印刷領域との関係を示す模式図である。
【図６】実施形態２に係るヘッドユニットの底面図である。
【発明を実施するための形態】
【００１０】
以下に本発明を実施形態に基づいて詳細に説明する。
（実施形態１）
図１は、本発明の実施形態に係る液体噴射装置の一例であるインクジェット式記録装置の概略斜視図であり、図２は液体噴射ヘッドの概略斜視図であり、図３は液体噴射ヘッドの底面図であり、図４はヘッドユニットの底面図である。以下、図面を参照して、本発明の実施形態に係る液体噴射装置及びヘッドユニットについて説明する。
【００１１】
図１に示すように、本実施形態の液体噴射装置の一例であるインクジェット式記録装置１は、インクジェット式記録ヘッド１０（以下、「記録ヘッド」という。）が固定されて、被噴射媒体である紙などの記録シートＳを搬送することで印刷を行う、所謂ライン式記録装置である。インクジェット式記録装置１は、装置本体２と、該装置本体２に固定され複数の記録ヘッド１０を具備するヘッドユニット３と、記録シートＳを搬送する搬送手段４と、支持部５と、を具備する。また、本実施形態では、印刷用インクに紫外線を吸収して硬化する、所謂ＵＶインクを用いており、ヘッドユニット３の底面には、記録シートＳが搬送される方向の下流側に、ＵＶインクを硬化させる紫外線照射装置１７（図４参照）が設けられている。かかる紫外線照射装置１７は、ヘッドユニット３とは別に設けてもよいが、記録ヘッド１０の液体噴射面に紫外線が直接照射されないように設けるのが好ましい。なお、紫外線照射装置１７は、紫外線ランプを具備するものであるが、記録シートＳの紙幅方向に複数のランプを並設して、印刷幅に応じて必要なランプのみを点灯して紫外線の照射幅を変更できるようにしてもよい。
【００１２】
ヘッドユニット３は、板状の保持部材６上に複数の記録ヘッド１０ａ〜１０ｆを具備する。図４に示すように、これらの複数の記録ヘッド１０ａ〜１０ｆは、ノズル開口１１（図３参照）の並設方向に２列に配置されており、各列における記録ヘッド１０ａ〜１０ｆは、ノズル開口１１の並設方向と交差する方向、即ち、記録シートＳが搬送される方向（以下、「記録シートＳの搬送方向」という。）に、位置をずらして互い違いに配置されており、各列における各記録ヘッド１０ａ〜１０ｆの前記並設方向、すなわち、長手方向の端部は、ノズル開口の並設方向に対して一部が重複するように配置されている。本実施形態では、このような配置を千鳥状の配置と言う。
【００１３】
一方、記録ヘッド１０ａ〜１０ｆは、それぞれ、一端面に複数のノズル開口１１が並設された２列のノズル列１４ａ、１４ｂを具備する。すなわち、本実施形態では、記録シートＳの搬送方向に並んで２列のノズル列１４ａ、１４ｂを形成しているが、一方のノズル列１４ａのノズル開口１１と、他方のノズル列１４ｂのノズル開口１１とは半ピッチずれた状態で形成され、ノズル列１４ａのノズル開口１１とノズル列１４ｂのノズル開口１１とは同種の液体を噴射するものであり、このような場合には、２列のノズル列１４ａ、１４ｂで実質的に１つのノズル列１４を形成しているものとする。本発明では、この実質的に１列になったノズル列１４をノズル列という。これにより、解像度を２倍とすることができる。なお、ノズル開口１１の列は、３列以上で実質的に１列を構成するような形態でもよい。勿論、１列のみのノズル列を具備するものでもよい。また、２列以上のノズル列を具備し、各ノズル列が異なる種類の液体を噴射するものでもよく、この場合には、ノズル列を複数具備するものとする。
【００１４】
また、ヘッドユニット３上において、千鳥状に２列に配置された記録ヘッド１０の内、一方の列の記録ヘッド１０に設けられたノズル列１４の端部と、他方の列の記録ヘッド１０に設けられたノズル列１４の端部とは、ノズル開口１１の並設方向において一部が重複するように配置されている。これにより、ヘッドユニット３上における全ての記録ヘッド１０のノズル列１４を連続させて、全体として最大印刷幅を形成するノズル列ユニットを構成している。また、このようなヘッドユニット３の各記録ヘッド１０ａ〜１０ｆには、図示していないが、インクが貯留されたインクタンクやインクカートリッジなどのインク貯留手段がインクを供給可能に接続されている。インク貯留手段は、例えば、ヘッドユニット３上に保持されていても、装置本体２内のヘッドユニット３とは異なる位置に保持されていてもよい。
【００１５】
また、この記録ヘッド１０ａ〜１０ｆの近傍には、記録ヘッド１０の周囲の雰囲気温度を測定する温度検出手段であるサーミスタ９ａ〜９ｆが設けられている。なお、温度検出手段は、例えば、熱電抵抗体、熱電対等の温度センサーを用いることもできる。各サーミスタ９ａ〜９ｆは、記録ヘッド１０ａ〜１０ｆのノズル開口１１の並設方向に交差する方向、すなわち、本実施形態では、記録シートＳの搬送方向に隣接して且つ千鳥状に配置された２列の他方側に設けられている。すなわち、サーミスタ９ｂ〜９ｅは、千鳥状に配置された記録ヘッド１０ａ〜１０ｆの２列の各列のノズル開口１１の並設方向に隣接した記録ヘッドの間に配置されており、サーミスタ９ａ及び９ｆは、記録ヘッド１０ｂ及び１０ｅのノズル開口１１の並設方向の外側で且つ記録ヘッド１０ａ及び１０ｆに隣接して設けられている。なお、特に図示しないが、各記録ヘッド１０ａ〜１０ｆには、各記録ヘッド内の液体温度を検出する温度センサー、例えば、サーミスタが内蔵されている。そして、これらのサーミスタ及び上述したサーミスタ９ａ〜９ｆの情報は、インクジェット式記録装置１に設けられたＣＰＵやメモリー等で構成された制御装置に送られるようになっている。
【００１６】
紫外線照射装置１７は、記録シートＳ上に吐出されたＵＶインクに紫外線を照射して硬化させるものであり、インクの吐出に同期してインク吐出の直後に照射されるようになっている。
【００１７】
搬送手段４は、ヘッドユニット３に対して、記録シートＳの搬送方向の両側に設けられた第１の搬送手段７と、第２の搬送手段８とを具備する。
【００１８】
第１の搬送手段７は、駆動ローラー７ａと、従動ローラー７ｂと、これら駆動ローラー７ａ及び従動ローラー７ｂに巻回された搬送ベルト７ｃとで構成されている。また、第２の搬送手段８は、第１の搬送手段７と同様に駆動ローラー８ａ、従動ローラー８ｂ及び搬送ベルト８ｃで構成されている。
【００１９】
これらの第１の搬送手段７及び第２の搬送手段８のそれぞれの駆動ローラー７ａ、８ａには、図示しない駆動モーター等の駆動手段が接続されている。駆動手段の駆動力によって搬送ベルト７ｃ、８ｃが回転駆動することで、記録シートＳは搬送方向に沿って一方から他方に搬送される。すなわち、記録シートＳは、一方からヘッドユニット３に搬送され、インクが吐出された記録シートＳは他方に搬送される。なお、前記一方側を上流側、前記他方側を下流側とも称する。
【００２０】
支持部５は、第１の搬送手段７と第２の搬送手段８との間に、ヘッドユニット３に相対向して設けられた断面が矩形状を有する金属又は樹脂等からなる。支持部５は、第１の搬送手段７及び第２の搬送手段８によって搬送された記録シートＳを、ヘッドユニット３に相対向する位置で支持するためのものである。また、支持部５には、吐出されたインクを乾燥する加熱手段や、記録シートＳをプレ加熱する加熱手段や、これらの温度を計測するセンサーが設けられることもある。
【００２１】
図２、図３に示すように、本実施形態の記録ヘッド１０は、底面（液滴吐出面１８）にノズル開口１１が設けられた液体噴射ヘッド本体１２（以下、「ヘッド本体」という。）と、ヘッド本体１２のノズル開口１１とは反対側の面に固定された流路部材１３とを具備する。
【００２２】
なお、ヘッド本体１２の内部には、特に図示しないが、ノズル開口１１に連通する流路の一部を構成する圧力発生室と、圧力発生室に圧力変化を生じさせてノズル開口からインクを吐出させる圧力発生手段とが設けられている。
【００２３】
圧力発生手段は、特に限定されないが、例えば、電気機械変換機能を呈する圧電材料を２つの電極で挟んだ圧電素子を用いたものや、圧力発生室内に発熱素子を配置して、発熱素子の発熱で発生するバブルによってノズル開口１１から液滴を吐出するものや、振動板と電極との間に静電気を発生させて、静電気力によって振動板を変形させてノズル開口１１から液滴を吐出させるものなどを用いることができる。
【００２４】
流路部材１３は、ヘッド本体１２のノズル開口１１とは反対側の面に固定されて、外部からのインクをヘッド本体１２に供給し、又はヘッド本体１２から外部にインクを排出するものである。
【００２５】
流路部材１３のヘッド本体１２に固定された面とは反対側の面には、内部の流路が開口して外部の流路が接続される液体流路口１５と、外部からの印刷信号等の電気信号が供給されるコネクター１６とが設けられている。
【００２６】
このような流路部材１３に設けられた２つの液体流路口１５は、一方の液体流路口１５が液体供給口として機能し、他方の液体流路口１５が記録ヘッド１０の内部のインクを外部に排出する液体排出口として機能する。流路部材１３に設けられた流路は、一方の液体供給口からノズル列１４にインクを供給するように構成され、ノズル列１４から他方の液体排出口を介して外部へインクを排出させるように構成されている。
【００２７】
なお、２つの液体流路口１５の両方が、液体供給口として機能するようにしてもよい。この場合には、例えば、２つの液体流路口１５がノズル列１４に連通するように記録ヘッド１０の内部の流路を構成する。もちろん、液体流路口１５の数や、ノズル列１４の数などは上述したものに限定されず、また、液体流路口１５を液体供給口又は液体排出口として機能させる使い分けも上述したものに限定されるものではない。
【００２８】
また、ヘッド本体１２には、液滴吐出面１８の周縁部を覆うように設けられたカバーヘッド３０が設けられている。
【００２９】
なお、上述したインクジェット式記録装置１は、図示の都合上、一つのヘッドユニット３のみを図示しているが、複数種の液体を吐出するもの、例えば、複数色のインクによりカラー印刷を行う場合には、ヘッドユニット３を複数個並設する構成とすることは言うまでもない。
【００３０】
また、本実施形態に係るインクジェット式記録装置１には、記録ヘッド１０ａ〜１０ｆの環境温度に応じて駆動信号を補正する制御手段が設けられている。この制御手段は、記録ヘッド１０内の液体の温度に基づく温度情報と共に、複数のサーミスタ９ａ〜９ｆにより測定した複数の記録ヘッド１０ａ〜１０ｆ毎の周囲の雰囲気温度を考慮して、記録ヘッド１０ａ〜１０ｆ毎に、吐出に適した駆動条件を求め、記録ヘッド１０ａ〜１０ｆ毎に最適な駆動条件となるように駆動信号を補正するものである。記録ヘッド１０ａ〜１０ｆの周囲の雰囲気温度は環境温度の影響を受けて常に変動するので、記録ヘッド１０ａ〜１０ｆのノズル開口１１から吐出される直前の液体は、記録ヘッド内部の温度よりも周囲の環境温度の影響が大きい。よって、従来のように記録ヘッド１０ａ〜１０ｆの内部の温度情報のみに基づいて補正するのでは不十分であり、本発明では、各記録ヘッド１０ａ〜１０ｆの周囲の雰囲気温度も考慮して駆動条件を補正するようにしている。
【００３１】
このような周囲の雰囲気温度を各記録ヘッド１０ａ〜１０ｆ毎に測定するために、本実施形態では、各記録ヘッド１０ａ〜１０ｆに対応してサーミスタ９ａ〜９ｆを設け、各記録ヘッド１０ａ〜１０ｆの周囲の雰囲気温度をそれぞれ測定するようにしている。本実施形態では、記録ヘッド１０ａ〜１０ｆの個数と同一のサーミスタ９ａ〜９ｆを設け、且つ、各記録ヘッド１０ａ〜１０ｆのそれぞれの周囲の雰囲気温度を算出する際に、それぞれその周囲の複数のサーミスタの情報に基づいて温度を算出するようにしている。
【００３２】
このような環境温度の影響としては、特に、本実施形態のようにＵＶインクを用いた場合には、光硬化により発生する熱が大きく影響すると考えられる。例えば、図５に示すように、紙幅の小さい記録シートＳ’を印刷するときや記録シートＳの一部の領域に印刷する場合、すなわち、印刷領域が領域Ａである場合、印刷は、記録ヘッド１０ａの一部と、記録ヘッド１０ｂと、記録ヘッド１０ｃの一部とを用いて行われる。この場合、記録ヘッド１０ａや記録ヘッド１０ｃでは、印刷に供されるノズル位置の温度と、サーミスタ９ａや９ｃに近い位置とでは温度が大きく異なることになる。
【００３３】
したがって、記録ヘッド１０ａの周囲の雰囲気温度をサーミスタ９ａで、記録ヘッド１０ｂの周囲の雰囲気温度をサーミスタ９ｂ、記録ヘッド１０ｃの周囲の雰囲気温度をサーミスタ９ｃで測定することにすると、記録ヘッド１０ｂの周囲の雰囲気温度は実情にあった正確な温度として算出されるが、記録ヘッド１０ａや記録ヘッド１０ｃでは、印刷に供されるノズル位置の周囲の雰囲気温度と異なる温度が算出され、実情にあった補正が実現できない。
【００３４】
本発明は、このような状況下でも実情にあった温度補正が実現できるようにするものであり、記録ヘッド１０ａの周囲の雰囲気温度は、サーミスタ９ａ及び９ｂの情報に基づいて算出し、記録ヘッド１０ｂの周囲の雰囲気温度はサーミスタ９ａ〜９ｃの情報に基づいて算出し、記録ヘッド１０ｃの周囲の雰囲気温度はサーミスタ９ｂ〜９ｄの情報に基づいて算出する。他の記録ヘッド１０ｄ〜１０ｆも同様に、その記録ヘッド１０ｄ〜１０ｆの周囲の２つ又は３つのサーミスタ９ｃ〜９ｆの情報に基づいて温度を算出するようにしている。
【００３５】
この結果、上述した場合でも、記録ヘッド１０ａや１０ｃにおいても、実情に近い周囲の雰囲気温度が算出でき、当該温度に基づいて補正された駆動信号で印刷ができる。
【００３６】
なお、複数のサーミスタからの情報に基づいて温度を算出する場合、予め決めておいた寄与率に基づいて算出してもよいし、例えば、最も高い温度を示すサーミスタの情報を優先させるように算出してもよく、算出方法は限定されない。何れにしても、ヘッドユニット３上の各箇所で温度変化が生じた場合は、記録ヘッド１０ａ〜１０ｆ毎に周囲の雰囲気温度をそれぞれ複数のサーミスタの情報に基づいて取得することは有効であり、記録ヘッド毎の周囲で生じる雰囲気温度の温度情報に基づき、記録ヘッド１０ａ〜１０ｆ毎に駆動信号を補正することで、インクの吐出特性のばらつきを解消することができる。
【００３７】
（実施形態２）
図６は実施形態２に係るヘッドユニットの底面図である。図６に示すように、ヘッドユニット３には、６つの記録ヘッド１０ａ〜１０ｆと８つのサーミスタ９ａ〜９ｈとが配置されている。記録ヘッド１０ａ〜１０ｆは、実施形態１と同様に、ノズル開口１１の並設方向に沿って、千鳥状に２列に配置されている。一方、サーミスタ９ａ〜９ｆは、実施形態１と同様に記録シートＳの搬送方向に対して、各記録ヘッド１０ａ〜１０ｆと１対１で対向して千鳥状に２列に配置され、さらに、ノズル開口１１の並設方向に対して、両端にある記録ヘッド１０ａ、１０ｆの外側にサーミスタ９ｇ及び９ｈが配置されている。
【００３８】
結果、全ての記録ヘッド１０ａ〜１０ｆには、ノズル開口１１の並設方向に対して交差する方向の各記録ヘッド１０ａ〜１０ｆの側方にサーミスタ９ａ〜９ｆが１つずつ配置されており、且つ、記録ヘッド１０ａ及び１０ｆの外側にはサーミスタ９ｇ及び９ｈが配置されている。よって、各記録ヘッド１０ａ〜１０ｆのそれぞれの周囲には、３個のサーミスタが配置されることになり、各記録ヘッド１０ａ〜１０ｆの周囲の雰囲気温度を、それぞれ３個のサーミスタの温度情報に基づいて算出することができ、さらに精度よい駆動信号の補正が可能となる。
【００３９】
（他の実施形態）  なお、上述の実施形態は本発明の好適な実施の一例ではあるがこれに限定されるものではなく、本発明の要旨を逸脱しない範囲において種々変形実施可能である。
【００４０】
上述した実施形態のインクジェット式記録装置１では、インクジェット式記録ヘッド１０が固定されて、紙等の記録シートＳを移動させるだけで印刷を行う、所謂ライン式記録装置を例示したが、特にこれに限定されず、例えば、インクジェット式記録ヘッド１０がキャリッジに搭載されて主走査方向に移動すると共に記録シートＳを副走査方向に移動させるシリアル式記録装置のヘッドユニットにも本発明を適用することができる。
【００４１】
なお、上述した実施形態では、液体噴射ヘッドの一例としてインクジェット式記録ヘッドを挙げて説明し、インクは紫外線で硬化するＵＶインクを例示したが、本発明は広く液体噴射ヘッド全般を対象としたものであり、通常のインクとしてもよいし、熱硬化型のインクを用いることもできる。その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられる。
【符号の説明】
【００４２】
１  インクジェット式記録装置、  ２  装置本体、  ３  ヘッドユニット、  ４、７、８  搬送手段、  ５  支持部、  ６  保持部材、  ９ａ〜９ｈ  サーミスタ、  １０ａ〜１０ｆ  インクジェット式記録ヘッド、  １１  ノズル開口、  １２  液体噴射ヘッド本体、  １３  流路部材、  １４  ノズル列、  １５  液体流路口、  １６  コネクター、  １７  紫外線照射装置、  １８  液滴吐出面
【図１】
2013230654.tif 000003
【図２】
2013230654.tif 000004
【図３】
2013230654.tif 000005
【図４】
2013230654.tif 000006
【図６】
2013230654.tif 000007
【図５】
2013230654.tif 000008